(57)【特許請求の範囲】
【請求項１】
無線ＬＡＮにより複数のコンピュータを互いに接続するネットワークと、
上記ネットワークに第１の無線ＬＡＮ端末が接続され、プレゼンテーションするための複数の画像情報を記憶する第１のメモリと第１の表示部を有し、表示装置リモート制御ソフトまたはプレゼンテーションリモート制御ソフトを選択可能で、当該プレゼンテーションリモート制御ソフトが選択されたとき、上記第１のメモリに記憶された上記複数の画像情報を含むファイルを上記第１の無線ＬＡＮ端末を介して上記ネットワークに送信し、上記プレゼンテーションリモート制御ソフトにより、上記ネットワークを介して伝達された転送状況情報を基に、上記第１の無線ＬＡＮ端末を介して上記ネットワークに伝送した複数の画像情報の画面を上記第１の表示部に表示し、当該複数ある画面が指定されると、当該画面を指定する番号とプレゼンテーションの開始を示す情報を、上記ネットワークを介して送信先の第２のコンピュータに伝える上記複数のコンピュータの内の第１のコンピュータと、
上記ネットワークに第２の無線ＬＡＮ端末が接続され、表示装置制御ソフトまたはプレゼンテーションソフトを有し、上記第１のコンピュータから送信され、上記ネットワークから上記第２の無線ＬＡＮ端末を介して受信した上記ファイルの複数の画像情報を第２のメモリに記憶すると共に、上記ネットワークを介して上記第１のコンピュータに当該第１のコンピュータから送信され、上記第２の無線ＬＡＮ端末を介して受信した上記画像情報の上記転送状況情報を伝達し、上記第１のコンピュータから送信され、上記ネットワークを介した上記プレゼンテーションの開始を含む情報を基に上記プレゼンテーションソフトを起動し、当該プレゼンテーションソフトにより上記第２のメモリに記憶された画像情報を選択して第３のメモリに記憶する上記複数のコンピュータの内の第２のコンピュータと、当該第２のコンピュータの上記第３のメモリに記録された上記第１のコンピュータから送信された画像情報を、上記第１のコンピュータの上記プレゼンテーションリモート制御ソフトにより起動されたプレゼンテーションソフトの指示により表示する第２の表示部と、を有する表示装置と、
を有するプレゼンテーションシステム。
【請求項２】
上記第１のコンピュータで上記表示装置リモート制御ソフトが選択されたとき、当該表示装置リモート制御ソフトの指示に基づき上記第２のコンピュータで表示装置制御ソフトが起動され上記第２の表示部の表示設定の制御を行う
請求項１記載のプレゼンテーションシステム。
【請求項３】
上記第１のコンピュータは、上記画像情報のプレゼンテーションの最中に、リモート制御ソフトとアプリケーションソフトにより上記第２のコンピュータに転送した上記画像情報に対応する上記第１のメモリに記憶された画像情報を有するファイルを変更して、再度上記ネットワークを介して上記第２のコンピュータに転送し、
上記第２のコンピュータは、再度転送された画像情報を上記第２の表示部に表示する
請求項１記載のプレゼンテーションシステム。
【請求項４】
複数個の上記表示装置が上記ネットワークに接続された
請求項１記載のプレゼンテーションシステム。
【発明の詳細な説明】
【０００１】
【発明の属する技術分野】
本発明は、コンピュータを用いたプレゼンテーションシステムに関するものである。
【０００２】
【従来の技術】
従来より、ノートブックコンピュータとプロジェクタを用いたプレゼンテーションシステムが知られている。
しかし、このノートブックコンピュータとプロジェクタを用いたプレゼンテーションにおいては、以下のような欠点があった。
【０００３】
広帯域の画像信号を伝送するため、ノートブックコンピュータとプロジェクタの間が太くて短いケーブルで接続されており、コンピュータの設置に制約がある。
これは、プレゼンタが不自然な位置でプレゼンテーションを行うことになったり、プレゼンタ以外にコンピュータ操作者を必要とした。
【０００４】
これを解消するために、小型のマイクロコンピュータ装置と記憶媒体装着装置を内部に設けたプロジェクタが開発され、すでに実用に供されている。
このプロジェクタを用いれば、プレゼンタはあらかじめプレゼンテーションの内容を上記記憶媒体に記憶させ、また上記装着装置にその記憶媒体を装着し、その後赤外線リモコン等を用いて、プロジェクタ内部のマイクロコンピュータに指示し、前記記憶媒体内部の情報をプロジェクタに投射させることができるので、上記の不具合は改善される。
【０００５】
【発明が解決しようとする課題】
しかしながら、このようなプロジェクタを用いても、以下のような不具合がある。
すなわち、上記記憶媒体はプロジェクタ内部に装着されており、プレゼンテーションの間に内容の変更ができない。
また、複数のプレゼンタがいる場合、事前に同一記憶媒体にプレゼンテーションの内容を記録しなければならない、もしくはプレゼンテーションの途中で記憶媒体を入れ替える必要がある。
【０００６】
本発明は、かかる事情に鑑みてなされたものであり、その目的は、コンピュータの設置や操作者に制約を受けず、プレゼンテーションの間に内容の変更も容易で、表示画像の劣化が無く、かつ表示画像がプレゼンタの操作に敏速に反応するプレゼンテーションシステムを提供することにある。
【０００７】
【課題を解決するための手段】
上記目的を達成するため、本発明のプレゼンテーションシステムは、無線ＬＡＮにより複数のコンピュータを互いに接続するネットワークと、上記ネットワークに第１の無線ＬＡＮ端末が接続され、プレゼンテーションするための複数の画像情報を記憶する第１のメモリと第１の表示部を有し、表示装置リモート制御ソフトまたはプレゼンテーションリモート制御ソフトを選択可能で、当該プレゼンテーションリモート制御ソフトが選択されたとき、上記第１のメモリに記憶された上記複数の画像情報を含むファイルを上記第１の無線ＬＡＮ端末を介して上記ネットワークに送信し、上記プレゼンテーションリモート制御ソフトにより、上記ネットワークを介して伝達された転送状況情報を基に、上記第１の無線ＬＡＮ端末を介して上記ネットワークに伝送した複数の画像情報の画面を上記第１の表示部に表示し、当該複数ある画面が指定されると、当該画面を指定する番号とプレゼンテーションの開始を示す情報を、上記ネットワークを介して送信先の第２のコンピュータに伝える上記複数のコンピュータの内の第１のコンピュータと、上記ネットワークに第２の無線ＬＡＮ端末が接続され、表示装置制御ソフトまたはプレゼンテーションソフトを有し、上記第１のコンピュータから送信され、上記ネットワークから上記第２の無線ＬＡＮ端末を介して受信した上記ファイルの複数の画像情報を第２のメモリに記憶すると共に、上記ネットワークを介して上記第１のコンピュータに当該第１のコンピュータから送信され、上記第２の無線ＬＡＮ端末を介して受信した上記画像情報の上記転送状況情報を伝達し、上記第１のコンピュータから送信され、上記ネットワークを介した上記プレゼンテーションの開始を含む情報を基に上記プレゼンテーションソフトを起動し、当該プレゼンテーションソフトにより上記第２のメモリに記憶された画像情報を選択して第３のメモリに記憶する上記複数のコンピュータの内の第２のコンピュータと、当該第２のコンピュータの上記第３のメモリに記録された上記第１のコンピュータから送信された画像情報を、上記第１のコンピュータの上記プレゼンテーションリモート制御ソフトにより起動されたプレゼンテーションソフトの指示により表示する第２の表示部と、を有する。
【００１７】
【発明の実施の形態】
第１実施形態
図１は、本発明に係るプレゼンテーションシステムの第１の実施形態を示す構成図である。
【００１８】
本プレゼンテーションシステム１０は、それぞれ個別の表示機能を持つ複数（本実施形態では２個）のコンピュータ２０と画像投射装置ＰＲＪに内蔵されたコンピュータ３０とを、ネットワーク４０で接続して構成されている。
そして、本プレゼンテーションシステム１０では、基本的にプレゼンタは、コンピュータ２０を操作して、コンピュータ２０からの指示に基づき、コンピュータ２０のメモリ上に保存されている画像情報を、コンピュータ３０のメモリ上に転送および保存させ、コンピュータ３０上のメモリに保存された画像情報を、コンピュータ２０からの指示に基づき、コンピュータ３０を内蔵する画像投射装置ＰＲＪにより投射して表示してプレゼンテーションを行う。
【００１９】
以下、コンピュータ２０，３０の具体的な構成および機能を、図面に関連付けて順を追って説明する。
【００２０】
図２は、コンピュータ２０の構成例を示すブロック図である。
図２に示すように、コンピュータ２０は、ＣＰＵ２０１、Ｉ／Ｏ２０２、第１のメモリとしての可動部を持たない半導体記憶装置であるＲＡＭ(Random Access Memory)２０３、ＲＯＭ(Read Only Memory)２０４、ＶＲＡＭ(Video RAM) ２０５、ポインタ２０６、ハードディスク２０７、およびＶＲＡＭ２０５に接続されたディスプレイ２０８を有している。
また、ＣＰＵ２０１は、Ｉ／Ｏ２０２、ＲＡＭ２０３、ＲＯＭ２０４、およびＶＲＡＭ２０５とバスＢＳが共有されている。
【００２１】
Ｉ／Ｏ２０２は、内部に図示しないイーサネットコントローラを有し、本コントローラを経由して、ネットワーク４０に接続されるとともに、ポインタ２０６経由してオペレータの指示をＣＰＵ２０１に伝え、またハードディスク２０７へのデータの入出力を行う。
【００２２】
ＲＯＭ２０４は、ハードディスク２０７にあらかじめ記録されている図３に示すＯＳ５０１を立ち上げるためのブートローダープログラムが記録されている。
さらに，ＶＲＡＭ２０５には、コンピュータ２０専用のディスプレイ２０８に表示する画像信号が書き込まれる。
【００２３】
図３は、コンピュータ２０を動作させるソフトウェアの例を説明するための図である。このソフトウェアは大きく分けて３種類のタイプがある。
第１は、ネットワークを通して外部と通信を行う通信ソフト５０２、第２は、本発明のプレゼンテーションシステムを構成するためのリモート制御（プレゼンテーション）ソフト５０３であり、第３は、本発明のプレゼンテーションシステムとは無関係に作業を行う他のアプリケーションソフト５０４である。
【００２４】
通信ソフト５０２は、ＯＳ５０１の制御で常時動作し、外部からの通信要求を受けたり、リモート制御ソフト５０３もしくは他のアプリケーションソフト５０４からの指示に基づき、データの通信を行う。
【００２５】
リモート制御ソフト５０３は、図３に示すように、３つのソフトで構成されている。
第１は、コンピュータ２０から画像投射装置（プロジェクタ）ＰＲＪの各種制御を行うためのプロジェクタリモート制御ソフト５０３１、第２は、コンピュータ２０からプレゼンテーションを行うためのプレゼンテーションリモート制御ソフト５０３２、第３は、これらのソフトと通信ソフト５０２の仲立ちを行う通信データ解析ソフト５０３３である。
【００２６】
図４は、コンピュータ３０の構成例を示すブロック図である。
図４に示すように、コンピュータ３０は、ＣＰＵ３０１、Ｉ／Ｏ３０２、第２のメモリとしての可動部を持たない半導体記憶装置であるＲＡＭ３０３、ＲＯＭ３０４、ＶＲＡＭ３０５、およびＩＲレシーバ３０６を有している。
また、ＣＰＵ３０１は、Ｉ／Ｏ３０２、ＲＡＭ３０３、ＲＯＭ３０４、およびＶＲＡＭ３０５とバスＢＳが共有されている。
【００２７】
Ｉ／Ｏ３０２は、内部に図示しないイーサネットコントローラを有し、本コントローラを経由して、ネットワーク４０に接続されるとともに、ＩＲレシーバ３０６を経由して、リモートコマンダＲＣＭＤからの赤外線信号ＩＲを受信する。
【００２８】
ＲＯＭ３０４は、図５に関連付けて説明するソフトウェアが書き込まれており、そのソフトウェアに従つてＣＰＵ３０１がＩ／Ｏ３０２、ＲＡＭ３０３を制御し、他のコンピュータとの通信を行い、プレゼンテーションに必要な画像データなどをＶＲＡＭ３０５に書き込み、その出力が画像表示装置で表示される。
【００２９】
図５は、コンピュータ３０を動作させるソフトウェアの例を説明するための図である。
このソフトウェアは、リアルタイムＯＳ６０１上で動作する４つのアプリケーションソフト、すなわち通信ソフト６０２、通信データ解析・画像データ保存ソフト６０３、プロジェクタ制御ソフト６０４、およびプレゼンテーションソフト６０５により構成されている。
ここで、プレゼンテーションソフト６０５は、プロジェクタ制御ソフト６０４に従属しており、同時には動作しないが、通信ソフト６０２、通信データ解析・画像データ保存ソフト６０３、およびプロジェクタ制御ソフト６０４もしくはプレゼンテーションソフト６０５は同時に動作するようになっている。
【００３０】
次に、上記４種類のソフトウェアについてその概要を述べる。
【００３１】
通信ソフト６０２は、Ｉ／Ｏ３０２の中にある図示しないイーサネットコントローラを制御し、トランスミッション制御プロトコル／インターネットプロトコル（ＴＣＰ／ＩＰ：Transmission Control Protocol/Internet Protocol ）を用いてＬＡＮ(Local Area Network)を経由し他のコンピュータと通信を行うソフトであって、プレゼンテーションソフト６０５からの制御データを通信データ解析・画像データ保存ソフト６０３を通して受け取る、もしくは外部のコンピュータからの制御データもしくは画像データを通信データ解析・画像データ保存ソフト６０３に受け渡す役割を担っている。
また、通信ソフト６０２は、画像投射装置ＰＲＪの電源立ち上がりと同時に作動し、常に通信データ解析・画像データ保存ソフト６０３もしくは他のコンピュータからの通信要求がないかを監視する。
【００３２】
通信データ解析・画像データ保存ソフト６０３は２種類の役割を有する。
第１は、プレゼンテーションソフト６０５からの制御データを解析し、画像データが送出される外部コンピュータに必要なデータを通信ソフト６０２に発生させるパラメータを生成する。
第２は、通信ソフト６０２を通して受信した外部コンピュータからのデータを解析し、それが制御データである場合、そのデータをプロジェクタ制御ソフト６０４もしくはプレゼンテーションソフト６０５に引き渡し、これらのソフト上で必要な動作をさせ、解析したデータが画像データであった場合は、ＲＡＭ３０３上のＤＭＡ領域に画像データを書き込む。
【００３３】
プロジェクタ制御ソフト６０４は、リモートコマンダＲＣＭＤからの指示もしくは外部のコンピュータからの指示に基づき、入力選択、画質調整等のプロジェクタの制御を行う。
【００３４】
プレゼンテーションソフト６０５は、赤外線リモコン装置からの指示もしくは外部のコンピュータからの指示に基づき、ＲＡＭ３０３上に取り込まれた外部のコンピュータからの画像のいずれかを選択し、それらをＶＲＡＭ３０５上に展開する。
ＶＲＡＭ３０５上の画像データは、プロジェクタの表示部に伝えられ、画像が表示される。
【００３５】
次に、上記構成による動作を説明する。
今コンピュータ２０でリモート制御ソフト５０３を立ち上げると、プロジェクタリモート制御を行うかプレゼンテーショシリモート制御を行うかを聞いてくる。
ここで、ポインタ２０６等を用いてプレゼンテーションリモート制御を選択すると、どのファイルを用いてプレゼンテーションを行うかを聞いてくる。
所望のファイル名を選択するとハードディスク２０７上にある、指定されたファイルが通信ソフト５０２の働きにより、Ｉ／Ｏ２０２を通してネットワーク４０に送出される。
【００３６】
ネットワーク４０に送出されたファイルデータは、コンピュータ３０のＩ／Ｏ３０２に到達し、ここで通信ソフト６０２の働きで、通信データ解析・画像データ保存ソフト６０３に引き渡され、ここでファイルが複数の画像データと判断される。
ここで判断されたデータはＲＡＭ３０３に取り込まれると同時に、通信データ解析・画像データ保存ソフト６０３の働きで、コンピュータ２０側に画像データ転送状況を伝達する。
【００３７】
コンピュータ２０側では、その画面に、上記伝達された情報を基に、伝送された画像データを縮小した画面を表示するようになっている。
コンピュータ２０の操作者でもあるプレゼンタは、この表示された縮小画面をダブルクリックすることで、複数ある画面を指定する番号とプレゼンテーションの開始を、コンピュータ３０に伝える。
【００３８】
コンピュータ３０ではこの情報をもとに、プレゼンテーションソフト６０５が起動し、ＲＡＭ３０３上にある画像データをＶＲＡＭ３０５に転送し、そのデータが表示装置に伝達され、所望の画像が表示される。
その後は、たとえばクリックを１度すれば次の画面を表示するとか、画面上の一部をクリックすれば前の画面に戻るとか、ソフトウェアによって種々のやり方が可能である。
【００３９】
なお、画像データの転送が終了していないのに、次の面面を表示しようとすると、通信データ解析ソフト６０３が判断し、「画像データの転送が終了していません」の表示がコンピュータ２０の表示画面に表示されるようになっている。
【００４０】
また、リモート制御ソフト５０３は、他のアプリケーションソフト５０４と同時に動作させることが可能で、たとえば転送したファイルが、プレゼンテーションの最中の討論で変更が必要となれば、他のアプリケーションソフト５０４を用いて変更を行い、再度コンピュータ３０に転送し、表示することができるようになっている。
【００４１】
さらに、リモート制御ソフト５０３の立ち上げ時に、プロジェクタリモート制御ソフト５０３１を選択すれば、コンピュータ２０を用いてコンピュータ３０側のプロジェクタ制御ソフト６０４を制御し、プロジェクタ内部の各種設定を行うことができるようになっている。
【００４２】
本第１の実施形態によれば、それぞれ個別の表示機能を持つコンピュータ２０と画像投射装置ＰＲＪに内蔵されたコンピュータ３０とを、ネットワーク４０で接続し、プレゼンタは、コンピュータ２０を操作して、コンピュータ２０からの指示に基づき、コンピュータ２０のメモリ上に保存されている画像情報を、コンピュータ３０のメモリ上に転送および保存させ、コンピュータ３０上のメモリに保存された画像情報を、コンピュータ２０からの指示に基づき、コンピュータ３０を内蔵する画像投射装置ＰＲＪにより投射して表示してプレゼンテーションを行うように構成したので、以下に示すような効果を得ることができる。
すなわち、プロジェクタとコンピュータを堅くて太くて短いケーブルにより接続することがないので、プレゼンテーションの自由度があがる。
また、あらかじめプレゼンテーション資料をプロジェクタ側に入れておく必要が無く、効率がよい。
さらに、プレゼンテーションの最中に決定された事項を、直ちに資料に盛り込むことが可能である。
また、外部コンピュータからプロジェクタのパラメータ（明るさ・ミューティング）変更が可能で、スマートなプレゼンテーションができる。
【００４３】
第２実施形態
図６は、本発明に係るプレゼンテーションシステムの第２の実施形態を示す構成図である。
【００４４】
本第２の実施形態が上述した第１の実施形態と異なる点は、プレゼンタがコンピュータ２０を操作してプレゼンテーションを行うのではなく、画像投射装置ＰＲＪに内蔵されたコンピュータ３０をリモートコマンンダＲＣＭＤを用いて操作し、プレゼンテーションを行うようにしたことにある。
【００４５】
本第２の実施形態においては、プレゼンタはリモートコマンダＲＣＭＤを用いてコンピュータ３０にプレゼンテーションソフト６０５の起動を促す。
一旦プレゼンテーションソフト６０５が立ち上がると、コンピュータ３０に接続されたコンピュータ２０のハードディスク２０７の中にある、転送可能なファイル名がプロジェクタ画面上に表示される。
そして、それをクリックすることで転送を開始する。
【００４６】
このとき、たとえば本プロジェクタ画面上に、伝送された画像データを縮小した画面を表示するようになっている。
コンピュータ３０の操作者でもあるプレゼンタは、この表示された縮小画面を、リモートコマンダＲＣＭＤを用いてダブルクリックすることで、複数ある画面を指定する番号とプレゼンテーションの開始を、コンピュータ３０に伝える。
コンピュータ３０はこの情報をもとに、ＲＡＭ３０３上にある画像データをＶＲＡＭ３０５に転送し、そのデータが表示装置に伝達され、所望の画像が表示される。
【００４７】
その後のプレゼンテーションのやり方は、上述した第１の実施形態と同様に行われる。
ただし、コンピュータ２０のハードディスク２０７上にあるファイルは、コンピュータ２０側で修正可能であるが、その表示のためには、修正後のファイルをコンピュータ３０側から、再度転送指示する必要がある。
【００４８】
本第２の実施形態によれば、上述した第１の実施形態の効果に加えて、以下の効果を得ることができる。
すなわち、プレゼンタがプロジェクタ付属のリモートコマンダＲＣＭＤを用いて提示画面の更新ができ、このためのオペレータが不要である。
また、オペレータヘの指示がない分、スマートなプレゼンテーションができる。
【００４９】
第３実施形態
図７は，本発明に係るプレゼンテーションシステムの第３の実施形態を示す構成図である。
【００５０】
本第３の実施形態が上述した第１の実施形態と異なる点は、画像投射装置がＰＲＪａおよびＰＲＪｂの２台用意され、それぞれがコンピュータ２０とネットワーク４０で接続されている点にある。
【００５１】
本第３の実施形態においては、プレゼンタはコンピュータ２０を操作し、そのファイルを画像投射装置ＰＲＪａおよびＰＲＪｂに転送し、その転送された画像データを、それぞれの投射装置で表示させるものであり、画像投射装置ＰＲＪａおよびＰＲＪｂが離れた場所にある場合のプレゼンテーションに有効である。
【００５２】
第３の実施形態によれば、上述した第１の実施形態の効果に加えて、インタネットで接続された遠隔地におかれた複数のプロジェクタにも画像の転送、表示ができるので、遠隔地へのプレゼンテーションが容易である。
【００５３】
第４実施形態
図８は、本発明に係るプレゼンテーションシステムの第４の実施形態を示す構成図である。
【００５４】
本第４の実施形態が上述した第２の実施形態と異なる点は、画像投射装置がＰＲＪａおよびＰＲＪｂの２台用意され、かつ、コンピュータも２０ａおよび２０ｂと２台用意され、それぞれがネットワーク４０で接続されている点にある。
【００５５】
本第４の実施形態においては、プレゼンタはコンピュータ３０ａを操作し、コンピュータ２０ａもしくはコンピュータ２０ｂの内部にある画像ファイルを指定し、それを画像投射装置ＰＲＪａおよびＰＲＪｂに転送し、その転送された画像データを、それぞれの投射装置で表示させるものであり、複数の独立したコンピュータからのプレゼンテーション資料を短時間に画像投射装置に転送するのに有効である。
【００５６】
本第４の実施形態によれば、上述した第２の実施形態の効果に加えて、ネットワークで接続された複数のプレゼンタが、短時間に交代し、交互にプレゼンテーションを行うことで、効率を上げることができる利点がある。
【００５７】
第５実施形態
図９は、本発明に係るプレゼンテーションシステムの第５の実施形態を示す構成図である。
【００５８】
本第５の実施形態が上述した第４の実施形態と異なる点は、画像投射装置がＰＲＪａの１台用意され、コンピュータが２０ａおよび２０ｂと２台用意され、ネットワークに無線ＬＡＮ装置５０を導入したことにある。
【００５９】
本第５の実施形態においては、たとえば二人のプレゼンタがそれぞれ無線ＬＡＮカード５１を装着したノートブックコンピュータ２０ａおよび２０ｂを持ち寄り、また画像投射装置ＰＲＪａのコンピュータ３０にも無線ＬＡＮカード５１を装着しておくことで、ハードウェアの接続も不要で、プレゼンタが交互に場所移動することなく、ファイルを画像投射装置ＰＲＪａに転送し、プレゼンテーションできる。
【００６０】
本第５の実施形態によれば、上述した第４の実施形態の効果に加えて、イーサネットケーブルヘの接続さえ不要で、コンピュータとプロジェクタとの接続もなく、画像ファイルの転送も意識しない、束縛の非常に少ない自由なプレゼンテーションが可能となる。
【００６１】
【発明の効果】
以上説明したように、本発明によれば、プロジェクタとコンピュータを堅くて太くて短いケーブルにより接続することがないので、プレゼンテーションの自由度があがる。
また、あらかじめプレゼンテーション資料をプロジェクタ側に入れておく必要が無く、効率がよい。
また、プレゼンテーションの最中に決定された事項を、直ちに資料に盛り込むことが可能である。
さらに、外部コンピュータからプロジェクタのパラメータ（明るさ・ミューティング）変更が可能で、スマートなプレゼンテーションを実現できる利点がある。
【００６２】
また、本発明によれば、プレゼンタが、プロジェクタ付属のリモートコマンダを用いて提示画面の更新ができ、このためのオペレータが不要あり、オペレータヘの指示がない分、スマートなプレゼンテーションができる。
【００６３】
また、本発明によれば、インタネットで接続された遠隔地におかれた複数のプロジェクタにも画像の転送、表示ができるので、遠隔地へのプレゼンテーションが容易である。
【００６４】
また、本発明によれば、ネットワークで接続された複数のプレゼンタが、短時間に交代し、交互にプレゼンテーションを行うことで、効率を上げることができる。
【００６５】
また、本発明によれば、無線伝送手段を用いれば、イーサネット（登録商標）ケーブルヘの接続さえ不要で、コンピュータとプロジェクタとの接続もなく、画像ファイルの転送も意識しない、束縛の非常に少ない自由なプレゼンテーションが可能となる。
【図面の簡単な説明】
【図１】本発明に係るプレゼンテーションシステムの第１の実施形態を示す構成図である。
【図２】図１のコンピュータ２０の構成例を示すブロック図である。
【図３】図１のコンピュータ２０を動作させるソフトウェアの例を説明するための図である。
【図４】図１のコンピュータ３０の構成例を示すブロック図である。
【図５】図１のコンピュータ３０を動作させるソフトウェアの例を説明するための図である。
【図６】本発明に係るプレゼンテーションシステムの第２の実施形態を示す構成図である。
【図７】本発明に係るプレゼンテーションシステムの第３の実施形態を示す構成図である。
【図８】本発明に係るプレゼンテーションシステムの第４の実施形態を示す構成図である。
【図９】本発明に係るプレゼンテーションシステムの第５の実施形態を示す構成図である。
【符号の説明】
１０，１０Ａ〜１０Ｄ…プレゼンテーションシステム、２０，２０ａ，２０ｂ，３０，３０ａ，３０ｂ…コンピュータ、４０…ネットワーク、５０…無線ＬＡＮ装置、ＰＲＪ，ＰＲＪａ，ＰＲＪｂ…画像投射装置。
【図１】
0004329174.tif 000002
【図２】
0004329174.tif 000003
【図３】
0004329174.tif 000004
【図４】
0004329174.tif 000005
【図５】
0004329174.tif 000006
【図６】
0004329174.tif 000007
【図７】
0004329174.tif 000008
【図８】
0004329174.tif 000009
【図９】
0004329174.tif 000010